(57)【特許請求の範囲】
【請求項１】
魚釣用リールを取付けるシート本体に、リールの取付脚部を載置するリール脚載置面を形成し、この載置面上に取付脚部を保持する一対のフードをこのリール脚載置面の長手方向に沿って対向配置し、これらの一対のフードの少なくとも一方は、シート本体上を可動のフード本体に緊締レバーを起伏自在に装着しかつ前記リール脚載置面上の所要位置に固定可能な移動フードとして形成されたリール脚固定装置であって、
前記緊締レバーは、一端側でフード本体に回動自在に支えられる支持部と、フード本体上に倒したときに、シート本体側に向く側部端面とを有し、この側部端面に、フード本体から引起すときに、指で操作可能な指当面が設けられ、この指当面は、緊締レバーをフード本体上に倒したときに、シート本体側に向き、かつ、緊締レバーの前記一端側に向けて、シート本体から次第に離隔する方向に延びる傾斜状部で形成されることを特徴とするリール脚固定装置。
【請求項２】
前記緊締レバーは、フード本体上に倒したときに、シート本体側に向く側部端面を有し、前記指当面は、この側部端面に滑り止めを施された部分で形成されることを特徴とする請求項１に記載のリール脚固定装置。
【発明の詳細な説明】
【０００１】
【発明の属する技術分野】
本発明は、釣竿に用いるリール脚固定装置に関し、特に、魚釣用リールを取付けるシート本体に形成したリール脚載置面の長手方向に沿って一対のフードを対向配置し、これらの一対のフードの少なくとも一方が、緊締レバーを起伏自在に装着され、リール脚載置面上の所要位置に固定可能な移動フードとして形成されたリール脚固定装置に関する。
【０００２】
【従来の技術】
一般に、釣竿のリール脚固定装置は、魚釣用リールの取付脚部が載置されるリール脚載置面と、このリール脚載置面の軸方向に沿って互いに対向させて設けられ、それぞれが取付脚部を受け入れる開口を有し、かつ、一方がリール脚載置面に対して移動し、所要位置に固定可能な移動フードである一対のフードとを備えている。これらの一対のフード間に取付脚部を挟持させることにより、リールを釣竿に装着する。
【０００３】
このようなリール脚固定装置には、ナット部材の締め付け動作によって移動フードを移動および固定するナット式のもの、あるいは、緊締レバーの起伏操作によって移動フードを移動および固定するレバー式のものなど、従来から様々なタイプのものが知られている。また、リール脚載置面に関しても、リング状あるいは板状等の各種の形状のシート本体に設けられたものが知られている。
【０００４】
実公平７-２４０５７号公報には、板状のシート本体にレバー式の移動フードを設けた魚釣用リールシートが記載されている。この移動フードは、一端側に設けた回転支持部を中心として起伏自在に装着した緊締レバーを備えている。移動フードは、この緊締レバーをシート本体側に倒したときに、所要位置に固定される。そして、この緊締レバーをシート本体側から引起すことにより、移動フードの固定状態を解除し、リールの取付脚部の取付けおよび取外しに必要な位置まで、自由に移動することができる。この緊締レバーの引起し操作は、通常は、緊締レバーの両側縁部に沿って配置されかつ倒したときにシート本体側に向く側部端面に指をかけて行っている。
【０００５】
【発明が解決しようとする課題】
しかし、緊締レバーの側部端面は、倒したときすなわち移動フードを所要位置に固定したときに、移動フードの移動方向であるリール脚載置面あるいはシート本体の長手方向とほぼ平行に延設されている。
このため、緊締レバーの引起し操作を行う際は、回転支持部の方向に指が滑りやすく、指先が痛くなる程度の強い力を加えないと、この緊締レバーを引起すことができないことがあり、操作が困難である。
【０００６】
本発明は、このような事情に基づいてなされたもので、緊締レバーの引起し操作が容易で操作性に優れたリール脚固定装置を提供することを目的とする。
【０００７】
【課題を解決するための手段】
上記目的を達成するため、本発明によると、魚釣用リールを取付けるシート本体に、リールの取付脚部を載置するリール脚載置面を形成し、この載置面上に取付脚部を保持する一対のフードをこのリール脚載置面の長手方向に沿って対向配置し、これらの一対のフードの少なくとも一方は、シート本体上を可動のフード本体に緊締レバーを起伏自在に装着しかつ前記リール脚載置面上の所要位置に固定可能な移動フードとして形成されたリール脚固定装置であって、前記緊締レバーは、一端側でフード本体に回動自在に支えられる支持部と、フード本体上に倒したときに、シート本体側に向く側部端面とを有し、この側部端面に、フード本体から引起すときに、指で操作可能な指当面が設けられ、この指当面は、緊締レバーをフード本体上に倒したときに、シート本体側に向き、かつ、緊締レバーの前記一端側に向けて、シート本体から次第に離隔する方向に延びる傾斜状部で形成されるリール脚固定装置が提供される。
【０００９】
【発明の実施の形態】
図１から図４は本発明の好ましい実施形態によるリール脚固定装置を示す。
図１に示すように、本実施形態のリール脚固定装置１０は、釣竿の手元部（竿尻側端部）に位置する繊維強化樹脂製であるのが好ましい竿管（図示しない）に設けられている。このリール脚固定装置１０は、図１から図３に示すように、合成樹脂等からなる筒状のシート本体１２と、シート本体１２の長手方向に沿う一対のガイド溝１４に沿って移動可能な移動フード１６とを備え、このシート本体１２の内部に竿管が貫通する。本実施形態のシート本体１２は竿管と別体に形成され、竿管に接着剤等によって固定されているが、竿管と一体に形成してもよい。また、シート本体１２は図示のような筒状構造に限らず、板状に形成してもよい。符号１２Ａは、把持部を示す。また、符号１２Ｂは、シート本体１２の表面部に好適な滑り止め被膜をコーティングし、あるいは滑り止め部品を接着剤等の適宜手段で固定した滑り止め部を示す。
【００１０】
シート本体１２は、その先端部に、魚釣用リールの取付脚部６の一方側を受けてこれを係止させる固定フード１８が形成されている。この固定フード１８は、取付脚部６が挿入される空間と、この空間内に前記取付脚部を導入するための開口２０とを有している。この開口２０の後端側に、シート本体１２は、取付脚部６を載置するための平坦なリール脚載置面２２を形成されており、このリール脚載置面２２の基端側の両側縁部に延在する一対のガイド溝１４に沿って移動フード１６が摺動自在に装着される。符号２４は、後述する係止爪３４を固定するために一連の横溝をリール脚載置面２２の長手方向に沿って配置した係止受体を示す。この係止受体２４は本実施形態のようにシート本体１２と別部材で形成してもよく、あるいは、これと一体構造に形成してもよい。
【００１１】
本実施形態のリール脚載置面２２は、リール取付脚部６を移動フード１６および固定フード１８を通じて固定したときに、このリール取付脚部６の固定状態を維持し、釣竿操作に支障のない程度の硬質部材で形成してある。このような硬質部材としては、金属、合成樹脂あるいはセラミックス等の他にも、木材あるいは石材等の天然材料を用いることができる。金属材料で形成する場合には、ステンレス鋼、黄銅あるいはアルミニューム等を用いることができる。
【００１２】
移動フード１６は、図２および図３に示すようにシート本体１２のガイド溝１４に噛合うガイド片を両側に形成した金属または剛性の高い合成樹脂などで形成されたフード本体２６を有する。このフード本体２６は、固定フード１８と同様に取付脚部６の端部が挿入される空間と、この空間内に取付脚部を導入するための開口２８とを有し、この開口２８が上述の固定フード１８の開口２０と対向して配置される。フード本体２６の空間内には、硬質樹脂製の内壁部材３０を配置し、リール脚載置面２２に押圧する際に、取付脚部６に損傷を与えるのを防止するのが好ましい。このような内壁部材は固定フード１８の空間内にも設けることができる。
【００１３】
図１に示すように、移動フード１６には、動きを規制するためにフード本体２６に起伏自在に装着された緊締レバー３２と、この緊締レバー３２で作動される係止爪３４とが設けられている。図２に示すように、緊締レバー３２は、後端部に設けられた支持部３１をフード本体２６に回転自在に支えられ、この支持部３１を中心として、移動フード本体２６に重なる状態に倒した位置と、移動フード本体２６から起立させた位置（図３に想像線で示す）との間を移動することができる。また、係止爪３４は先端部をフード本体２６に装着され、その後端部から図示しない爪部をリール脚載置面２２側に突出させたばね板で形成されており、通常は、この爪部がリール脚載置面２２から離隔する方向に付勢されている。
【００１４】
緊締レバー３２は、支持部３１に近接した後端部に押圧片３３を形成されており、この押圧片３３は、この緊締レバー３２が図３に想像線で示す位置に引起されたときに、リール脚載置面２２とほぼ平行に配置され、図３に実線で示す位置に倒されたときに、リール脚載置面２２とほぼ直交する状態に配置される。したがって、緊締レバー３２がフード本体２６から引起されると、係止爪３４と係止受体２４との噛合いが解除され、移動フード１６はリール脚載置面２２の長手方向に沿って自由に動くことができる。一方、緊締レバー３２がフード本体２６上に重なる状態に倒されると、押圧片３３が係止爪３４の後端部から突出する爪部をリール脚載置面２２に向けて押圧し、係止受体２４の対応した１の横溝と噛合わせ、これにより、移動フード１６をリール脚載置面２２に対して固定する。
【００１５】
本実施例における緊締レバー３２は、図３に示すように、フード本体２６から引起すときに指で係止可能な指当面３６を、側部端面の先端側すなわち開口２８に近接する端部に位置する傾斜状部で形成してあり、この傾斜状部は、フード本体２６上に倒したときに、シート本体１２側に向き、かつ、フード本体２６の移動方向に対して傾斜している。より具体的には、本実施形態の指当面３６は、緊締レバー３２をフード本体２６上に倒したときに、支持部３１が設けられた基端部側に向けて、シート本体２６から次第に離隔する方向に延びる。この指当面３６を形成する傾斜状部の長さＬ１は、１本の指で操作して緊締レバー３２を引起すことができるように、３mm以上とするのが好ましく、特に、５mmから２０mm程度に形成するのが好ましい。また、移動フード１６の移動方向であるガイド溝１４あるいはシート本体１２の軸線に対する角度α１は、１°〜４０°の範囲であるのが好ましく、特に、３°〜３０°の範囲に形成することが好ましい。
【００１６】
このような指当面３６の軸方向の両端側はそれぞれ滑らかな曲面を介して、緊締レバー３２の先端面および基端側の側部端面から連続的に移行する。このため、この指当面３６は、図３および図４に示すように、フード本体２６の頂壁部から側壁部に延びる略三角形状の部分の基端側傾斜面で形成されている。
【００１７】
更に、本実施形態のリール脚固定装置１０には、固定フード１８の開口２０に対応した位置、および、この固定フード１８と移動フード１６との間の位置に２つの弾性部材３８を配置し、これらの弾性部材３８をカバー部材４０でリール脚載置面２２上に保持している。これらの弾性部材３８は、固定フード１８と移動フード１６とで保持したリールの取付脚部６をリール脚載置面２２から離隔する方向に付勢し、取付脚部６のがたつきを防止する。
【００１８】
このようなリール脚固定装置１０を用いてリールを固定する場合は、次のように行う。
まず、緊締レバー３２の指当部３６に指を当て、支持部３１を中心として図２に矢印Ｒで示す方向に回動することにより、この緊締レバー３２をフード本体２６から引起す。この際、指当部３６が基端部側に向けてシート本体２６から次第に離隔する方向に延びる傾斜面で形成されているため、この指当部３６に作用する力Ｆ１は、支持部３１から離隔する方向に作用し、これにより、支持部３１の方向に指が滑るのが防止され、指当部３６に指を確実に当てて操作させることができる。緊締レバー３２が例え水等で濡れている場合であっても、指が痛くなるほど大きな力を作用させる必要はない。
【００１９】
緊締レバー３２を引起すと、基端部側の押圧片３３がリール脚載置面２２とほぼ平行な方向に移動され、係止爪３４と係止受体２４との噛合が解除される。これにより、移動フード１６は、ガイド溝１４に沿ってリール脚載置面２２上を自由に移動することができる。移動フード１６を所要位置に移動した後、リールの取付脚部６の端部を固定フード１８の開口２０から内部の空間内に挿入し、更に、移動フード１６を固定フード１８の方向に移動しつつ、取付脚部６を固定フード１８側に押圧する。これにより、取付脚部６がリール脚載置面２２側に付勢され、弾性部材３８を圧縮しつつリール脚載置面２２に当接する。この状態で緊締レバー３２をフード本体２６上に倒すことにより、押圧片３３がリール脚載置面２２にほぼ垂直な方向に配置され、これにより係止爪３４と係止受体２４とが噛合い、移動フード１６が固定される。取付脚部６は、リール脚載置面２２の硬質部材と当接し、更に弾性部材３８で付勢されているため、がたつきを防止されて、確実に固定される。
【００２０】
そして、リールの取付脚部６を取外す場合は、弾性部材３８の付勢力が取付脚部６と爪部材３４とを介して緊締レバー３２に作用しているが、この緊締レバー３２の指当部３６が支持部３１の方向に指が滑るのを防止するため、容易に緊締レバー３２を引起すことができる。
【００２１】
したがって、このリール脚固定装置１０によれば、緊締レバーの引起し操作を極めて容易に行うことが可能であり、リールの取付脚部の取付けおよび取外しを容易に行うことができる操作性に優れたリール脚固定装置が形成される。
【００２２】
図５は、特許請求の範囲に記載の発明に含まれない開示例によるリール脚固定装置１０を示す。なお、この開示例のリール脚固定装置は上述の実施形態とほぼ同様であるため、上述と同様な部位には同様な符号を付してその詳細な説明を省略する。
図５に示すように、本開示例の緊締レバー４２は、側部端面に設けた指当部４６が上述の実施形態における指当部３６と反対方向に向いている。すなわち、本開示例の指当部４６は、図示のように、緊締レバー４２をフード本体２６上に倒したときに、先端側すなわち支持部３１から離隔する側に向けて、シート本体１２から次第に離隔する方向に延びる傾斜状部で形成されている。この指当部４６の長さＬ２は、３mm以上とするのが好ましく、特に、５mm〜２０mmの範囲の１本の指を当接しやすい長さとするのが好ましい。また、シート本体１２の軸線あるいはガイド溝１４に対する角度α２は、２°〜４５°の範囲であるのが好ましく、特に、５°〜３０°の範囲に形成することが好ましい。
【００２３】
この指当部４６は、基端側すなわち支持部３１側で、リール脚本体１２の軸線あるいはガイド溝１４とほぼ平行に延設された平行部４８に滑らかに移行し、先端側すなわち開口２８側で、緊締レバー４２の先端面に滑らかに移行する。
【００２４】
図５に示す開示例の場合にも、図１から図４に示す実施形態のリール脚固定装置１０と同様に作用し、緊締レバー４２をフード本体２６から引起すことにより、ガイド溝１４に沿って移動フード１６が自由に移動でき、この緊締レバー４２をフード本体２６上に倒すことにより、所要位置で係止爪３４と係止受体２４とを噛合わせて固定する。緊締レバー４２の側部端面に形成した指当部４６が先端側に向けて、シート本体１２から次第に離隔する方向に傾斜しているため、緊締レバー４２を引起す際、指当部４６に当てた指が支持部３１の方向にずれるのが防止され、したがって、緊締レバー４２を容易にフード本体２６から引起すことができる。また、この指当部４２が緊締レバー４２の先端面と、側部端面の平行部４８との間に配置されているため、この指当部４２の位置を容易に探り当てることができ、緊締レバー４２の起伏操作を容易に行うことができる。
【００２５】
更に、上述の実施形態における指当部３６および開示例における指当部４６のように、シート本体１２の軸線あるいはガイド溝１４に対する傾斜状部で形成することに代え、更に他の実施形態では、緊締レバーの側壁端面の全体を、フード本体２６上に倒したときに、シート本体１２の軸線あるいはガイド溝１４とほぼ平行となるように形成し、この側壁端面の一部に指当部を形成することもできる。この場合には、緊締レバーの側部端面の適宜部位に滑り止め処理を行い、この滑り止め処理した部分で指当部を形成する。このような滑り止め処理は、例えば被膜形成、粗面形成、あるいは凹凸部の形成等の適宜手段により、行うことができる。このような滑り止め処理を施した指当部は、フード本体２６上に倒したときにシート本体１２側に向きかつガイド溝１４とほぼ平行に延びる側部端面の適宜部位に設けることが可能であるが、緊締レバーの側部端面の最も先端側に設けることが好ましい。
また、上述の実施形態における指当部３６および開示例における指当部４６にもこのような滑り止め処理を施してもよい。
【００２６】
この実施形態の場合にも、緊締レバーを引起す際に、滑り止め処理を施された指当部が支持部３１の方向への指の滑りを防止する。これにより、緊締レバーの引起し操作を極めて容易に行うことが可能な操作性に優れたリール脚固定装置を提供する。
【００２７】
なお、上述の指当部３６，４６および滑り止め処理を施した指当部（図示しない）は、それぞれ平坦面として図示し、説明してきたが、これに限らず、これらの指当部が全体的にガイド溝１４あるいはシート本体の軸線に対して傾斜した状態の傾斜状部として形成されるものであれば、階段状に１又は複数の段部を形成した段付き構造、又は、凹面あるいは凸面状の湾曲状構造として形成してもよい。また、上記の各実施形態および開示例では基端側のフードのみを移動フード１６として形成したが、これに限らず、先端側のフードを移動フードとして形成してもよく、あるいは、一対のフードの双方を移動フードとして形成してもよいことは明らかである。更に、シート本体１２についても、上述のような円筒状構造に限らず、板状等他の形状に形成してもよい。
【００２８】
【発明の効果】
以上明らかなように、本発明によれば、緊締レバーの引起し操作が容易で操作性に優れたリール脚固定装置が提供される。
【図面の簡単な説明】
【図１】本発明の好ましい実施形態によるリール脚固定装置の平面図。
【図２】図１のリール脚固定装置の側面図。
【図３】図１のリール脚固定装置における緊締レバーの作動を説明する説明図。
【図４】図２のＩＶ−ＩＶ線に沿う断面図。
【図５】  開示例によるリール脚固定装置の図２と同様な側面図。
【符号の説明】
６…取付脚部、１０…リール脚固定装置、１２…シート本体、１４…ガイド溝、１６，１８…フード、２２…リール脚載置面、２６…フード本体、３２，４２…緊締レバー、３６，４６…指当部。
【図１】
0004374132.tif 000002
【図２】
0004374132.tif 000003
【図３】
0004374132.tif 000004
【図４】
0004374132.tif 000005
【図５】
0004374132.tif 000006